(57)【特許請求の範囲】
【請求項１】
浴室内の空気を吸気送風する送風ファンと、前記送風ファンが送風する空気が流れる循環加熱手段を有する循環経路と、前記送風ファンが送風する空気が流れる除湿手段を有する除湿経路と、除湿経路の一部に接続して設けた浴室内の空気を屋外に排気する換気経路と、前記循環経路及び前記除湿経路を通過した後の空気を浴室内に吹き出す第１の吹き出し口と、前記第１の吹き出し口から吹き出す空気の方向を調整する風向制御板と、前記循環経路または除湿経路を通過した後の空気を浴室内に吹き出す第２の吹き出し口を有するグリルと、循環空気・除湿空気を前記第１の吹き出し口または前記第２の吹き出し口から吹き出すように切り換える開閉ダンパとを備え、前記第２の吹き出し口は、天井壁面乾燥時に天井の壁面に平行に乾燥空気が流れるように送風するようにした浴室乾燥機。
【請求項２】
風向制御板は、スイング動作して乾燥空気を第１の吹き出し口より吹き出す運転モードと、スイング動作を停止して乾燥空気を前記第１の吹き出し口より真下の方向に吹き出す運転モードと、前記第１の吹き出し口を閉塞して第２の吹き出し口より空気を吹き出す動作のいずれかに選択可能設けた請求項１記載の浴室乾燥機。
【請求項３】
グリルは、第１の吹き出し口の上流側に設けた開閉ダンパを有する請求項１または２記載の浴室乾燥機。
【発明の詳細な説明】
【０００１】
【発明の属する技術分野】
本発明は、入浴後に浴室を乾燥して浴室内が湿気ることを防止したり、浴室で衣類を乾燥したりすることができる浴室乾燥機に関するものである。
【０００２】
【従来の技術】
従来の浴室乾燥機の構造を図１２、図１３に基づいて説明する。図１２は、浴室乾燥機の本体２（以下単に本体２と称する）を下から見た平面図である。また、図１３は本体２を浴室１の天井に取り付けている状態を説明する断面図である。本体２内には、第１の送風機３とヒータ４を配置した循環風胴５と、第２の送風機６を内蔵し排気口７と連通する換気風胴８を設けている。９はグリルで、浴室１の空気を本体２に吸気する吸気口１０と、浴室１に空気を吹き出す吹き出し口１１を有している。吸気口１０より吸気した空気は、第１の送風機３と、循環風胴５と吹き出し口１１とによって構成した循環経路１２を循環する。また、吸気口１０から吸気した空気は、第２の送風機６、排気口７で構成した排気経路１３によって浴室外に排気される。前記循環経路１２と排気経路１３とは、互いに独立している。
【０００３】
以上の構成で、浴室の乾燥あるいは衣類の乾燥をする場合は、第１の送風機３・ヒータ４・第２の送風機６を動作させるものである。第１の送風機３の送風空気は、ヒータ４によって加熱され、温風となって吹き出し口１１より浴室１に吹き出す。浴室１を流れた空気は、再び上昇して吸気口１０より吸気されヒータ４によって加熱され、温風となって吹き出し口１１から吹き出すものである。つまり、第１の送風機３が送風する空気は浴室１と第１の送風機１との間を循環するものである。この温風の循環によって、浴室１の水分あるいは浴室１内に吊り下げた衣類の水分が蒸発し、乾燥が進行する。
【０００４】
同時に第２の送風機６を運転することによって、乾燥の進行によって発生した湿気は排気口７から浴室外に排気される。すなわち、発生した湿気は、浴室１の扉に設けている図示していない吸気口から流入した空気と共に、吸気口１０から吸気され、換気風胴８を流れ、排気口７より浴室外に排気されるものである。
【０００５】
【発明が解決しようとする課題】
前記従来の構成の浴室乾燥機は、吹き出し口から吹き出される空気の方向が一定しているもので、浴室の乾燥あるいは浴室内の衣類の乾燥に時間がかかるという課題を有している。
【０００６】
【課題を解決するための手段】
本発明は、循環経路及び除湿経路を通過した後の空気を浴室内に吹き出す第１の吹き出し口と、前記第１の吹き出し口から吹き出す空気の方向を調整する風向制御板と、前記循環経路または除湿経路を通過した後の空気を浴室内に吹き出す第２の吹き出し口を有するグリルと、循環空気・除湿空気を前記第１の吹き出し口または前記第２の吹き出し口から吹き出すように切り換える開閉ダンパとを備え、前記第２の吹き出し口は、天井壁面乾燥時に天井の壁面に平行に乾燥空気が流れるように送風するようにしたものである。
【０００７】
【発明の実施の形態】
請求項１に記載した発明は、浴室内の空気を吸気送風する送風ファンと、前記送風ファンが送風する空気が流れる循環加熱手段を有する循環経路と、前記送風ファンが送風する空気が流れる除湿手段を有する除湿経路と、除湿経路の一部に接続して設けた浴室内の空気を屋外に排気する換気経路と、前記循環経路及び前記除湿経路を通過した後の空気を浴室内に吹き出す第１の吹き出し口と、前記第１の吹き出し口から吹き出す空気の方向を調整する風向制御板と、前記循環経路または除湿経路を通過した後の空気を浴室内に吹き出す第２の吹き出し口を有するグリルと、循環空気・除湿空気を前記第１の吹き出し口または前記第２の吹き出し口から吹き出すように切り換える開閉ダンパとを備え、前記第２の吹き出し口は、天井壁面乾燥時に天井の壁面に平行に乾燥空気が流れるように送風するようにしたものであり、乾燥する衣類の量、乾燥する浴室の形状に応じた運転が可能で、乾燥効率が高く省エネルギで短時間に浴室、あるいは浴室内の衣類を乾燥することができる。また、天井壁面乾燥時に天井の壁面に平行に乾燥空気が流れるように送風するので、天井の壁面に付着した水分を効率よく乾燥することができる。
【０００８】
請求項２に記載した発明は、風向制御板は、スイング動作して乾燥空気を第１の吹き出し口より吹き出す運転モードと、スイング動作を停止して乾燥空気を前記第１の吹き出し口より真下の方向に吹き出す運転モードと、前記第１の吹き出し口を閉塞して第２の吹き出し口より空気を吹き出す動作のいずれかに選択可能設けたものであり、衣類の量に適した風向を選択でき、高効率で短時間に浴室、あるいは浴室内の衣類を乾燥することができる。また、第１の吹き出し口より真下の方向に吹き出すことにより、乾燥空気を床面に向けて送風されることになり、床面に付着した水分を効率よく乾燥することができる。
【０００９】
請求項３に記載した発明は、グリルは、第１の吹き出し口の上流側に設けた開閉ダンパを有するものであり、浴室の壁面を効率よく乾燥でき、浴室の乾燥場所に応じた運転モードを備えることができる。
【００１０】
【実施例】
（実施例１）
以下、本発明の第１の実施例について説明する。図１は本実施例の構成を示す側断面図、図２は同じく平面断面図である。１６・１７は第１の送風ファン・第２の送風ファンで、第２の送風ファン１７を上に第１の送風ファン１６を下にした二段積み状態で互いに固着され、１個のモータ１８によって駆動されている。第２の送風ファン１７の周囲は、カバー３６によって覆っている。第１の送風ファン１６・第２の送風ファン１７が送風する空気は、循環経路２４と、除湿経路３２と、図２に示している換気経路３３と再生経路３４を流れる。
【００１１】
除湿経路３２は、除湿風胴２５と、除湿風胴２５の底部に配置している基板１９とによって構成している。除湿経路３２中には、換気除湿切換ダンパ２８と再生加熱手段２７と除湿手段を構成する吸着剤２６と除湿再生切換ダンパ２９と吹き出し口２３とを設けている。換気除湿切り換えダンパ２８は、図２に示しているように、第２の送風ファン１７が送風する浴室内の空気を、吸着剤２６側と換気経路３３側とに切り換えて送風している。すなわち、ａ側またはｂ側となるように風路を調整する。前記ダンパ２８をｂ側としたときは、除湿経路３２を閉塞し、第２の送風ファン１７が送風する空気を直接排気口３１に導いて、図４に示しているように排気ダクト６０から屋外に排気するものである。
【００１２】
すなわち、換気除湿切り換えダンパ２８は、換気経路３３を構成するものである。また、吸着剤２６としては、本実施例では、ゼオライトあるいはシリカゲル等を用いている。再生用加熱手段２７としては、ニクロムヒータ・シーズヒータ・ＰＴＣヒータ等を使用している。換気除湿切り換えダンパ２８は吸着剤２６の上流側に、除湿再生切換ダンパ２９は、吸着剤２６の下流側に配置している。
【００１３】
また、換気除湿切換ダンパ２８は駆動モータ２８ａによって、除湿再生切換ダンパ２９は、図２に示しているように、駆動モータ２９ａによって駆動されている。すなわち、第２の送風ファン１７が送風する浴室内の空気を、ｃ側またはｄ側となるように切り換えて送風している。ｃ側を閉じるようにしている場合には、第２の送風ファン１７が送風する空気は、図１に示している吹き出し口２３から浴室１４内に送風される。ｄ側を閉じるようにしている場合には、第２の送風ファン１７が送風する空気は図１に示している再生経路３４から排気口３１に流れるものである。
【００１４】
循環経路２４は、循環風胴２０と基板１９とによって構成している。循環経路２４中には、循環加熱手段２１と前記吹き出し口２３とを設けている。吹き出し口２３は、前記除湿経路３２を流れた空気または循環経路２４を流れた空気を浴室１４内に吹き出しているものである。吹き出し口２３は、除湿経路３２または循環経路２４を流れた空気を浴室１４内に吹き出している。前記基板１９は、図２に示しているように、第２の吸気口３５を複数箇所に有している。第２の吸気口３５は、前記カバー３６と共同して、第１の吸気口２２から吸気した空気を第２の送風ファン１７に供給している。
【００１５】
また５０は、前記各部を取り付けている壁面を覆って設けたグリルで、前記第１の吸気口２２と、吹き出し口２３を有している。第１の吸気口２２の上部には、前記第１の送風ファン１６・第２の送風ファン１７を設けている。従って第１の吸気口２２は、浴室内の空気を吸気している。吹き出し口２３は、前記しているように、除湿経路３２または循環経路２４を流れた乾燥空気を浴室１４内に吹き出している。吹き出し口２３には、吹き出し空気の方向を制御する風向制御手段を設けている。
【００１６】
風向制御手段３７は、図３に示している構成としている。すなわち、モータ３８と、モータ３８の回転運動を往復直線運動に変換するリンク機構を構成する第１の支持部材３９と、第２の支持部材４０と、第３の支持部材４０ａと、複数枚の風向制御板３７ａとによって構成している。第１の支持部材３９は、モータ３８に接続してあり、モータ３８の回転運動を第２の支持部材４０に伝達している。従って第２の支持部材４０は、モータ３８の回転運動を受けて往復直線運動しているものである。第２の支持部材４０は、複数枚の第３の支持部材４０ａを回転自在に軸支している。また、個々の第３の支持部材４０ａは風向制御板３７ａを同様に回転自在に軸支しているものである。
【００１７】
従ってモータ３８が回転すると、第２の支持部材４０が往復直線運動を行い、同時に第３の支持部材４０ａが左右にスイング運動を行うものである。第３の支持部材４０ａのスイング運動によって、第３の支持部材４０ａに軸支している風向制御板３７ａもスイング運動を行うものである。このとき、検知手段４１は風向制御板３７ａの垂直状態を検知しており、この検知情報を制御手段４２に伝達しているものである。制御手段４２は、検知手段４１の検知情報と、使用者が図示してないコントローラを使用して指示した条件に応じて、モータ１８・循環加熱手段２１・再生加熱手段２７・駆動モータ２８ａ・駆動モータ２９ａ・モータ３８を制御しているものである。
【００１８】
図４は、本実施例の浴室乾燥機を浴室内に取り付けている状態を示す説明図で、図５は同じく浴室乾燥機を下方から見た斜視図である。図４に示している状態は、浴室１４内に多量の衣類を吊り下げている状態を示している。４３は吊り下げポールで、浴室１４の壁面に取り付けており、衣類４４を吊り下げている。前記吊り下げポール４３は、図５に示しているように、浴室乾燥機１５の吹き出し口２３の下方に、前記風向制御板３７ａのスイング動作による幅広い空気の流れと平行に取り付けているものである。
【００１９】
以下本実施例の動作について説明する。使用者がコントローラを使用して衣類の乾燥を指示すると、制御手段４２が動作を開始する。このとき、本実施例では使用者は浴室１４に干している衣類の量を判断して、例えば図４に示している程度の衣類４４の量の場合には、多としてコントローラを駆動する。制御手段４２は、コントローラから衣類の量が多であることを示す信号を受けると、風向制御板３７ａをスイングする動作と、循環運転と、除湿運転とを実行する。すなわち、モータ１８と、循環加熱手段２１と、駆動モータ２８ａと、駆動モータ２９ａと、モータ３８と、必要に応じて再生加熱手段２７とを駆動する。
【００２０】
モータ１８が回転を開始すると、第１の送風ファン１６と第２の送風ファン１７が同時に回転する。第１の送風ファン１６と第２の送風ファン１７の回転によって、浴室１４内の空気は、第１の吸気口２２から吸気される。第１の吸気口２２から吸気された浴室内の空気は、第１の送風ファン１６に、また一部は第２の吸気口３５から第２の送風ファン１７に供給される。第１の送風ファン１６が送風する空気は、循環経路２４を流れて、循環加熱手段２１による発熱で加熱され、温風となって吹き出し口２３から浴室１４内に送風される。このとき、制御手段４２は、駆動モータ２８ａを換気風路切り換えダンパ２８が図２に示しているようにｂ側を開放するように制御している。また駆動モータ２９ａを、除湿再生切換ダンパ２９がｄ側を開放するように制御している。
【００２１】
このため、第２の送風ファン１７が送風する空気は、除湿経路３２を流れて吹き出し口２３より浴室１４内に送風される。除湿経路３２には吸着剤２６を配置している。このため、除湿経路３２を流れる多湿の空気は吸着剤２６と接触して除湿される。つまり、吸着剤２６は空気中の水分を吸着する。従って、吹き出し口２３からは水分が吸着され乾燥した空気が浴室１４内に吹き出されるものである。前記吸着剤２６の水分吸着量には限界があり、除湿運転で吸湿を続けると吸着剤２６の活性が低下する。このため、制御手段４２は、所定時間が経過すると吸着剤２６を活性化する再生工程を実行する。
【００２２】
再生工程では、制御手段４２は駆動モータ２９ａを駆動して、図２に示しているｄ側を閉じるように、また再生加熱手段２７を通電するように制御する。このため、第２の送風ファン１７が送風する空気は再生加熱手段２７によって加熱されて高温となって吸着剤２６と接触する。このため吸着剤２６は、吸着していた大量の水分を放出して再び活性化する。この水分は、除湿再生切り換えダンパ２９がｄ側となっているため、再生経路３４を流れて排気口３１から排気される。すなわち、図４に示しているように、排気ダクト６０から屋外に排気されるものである。本実施例の制御手段４２は、除湿運転では必ず、前記吸着剤２６による吸着運転と、吸着剤２６を活性化する再生運転とを組み合わせて実行するものである。
【００２３】
循環経路２４を流れる温風及び除湿経路３２を流れる乾燥空気は、吹き出し口２３から広角度にスイングされる状態で吹き出される。すなわち、前記したようにコントローラからの指示が衣類４４の量を多とする信号であるため、制御手段４２が風向制御板３７ａをスイングさせるように、図３に示しているモータ３８を駆動しているためである。実際には、風向制御板３７ａは、図３に示しているａからｂまでをスイングされながら往復運動しているものである。従って、吹き出し口２３からは広角度でスイングされている乾燥空気が送風されるものである。このため、浴室１４に吊り下げられている衣類４４には、ムラ無く送風された乾燥空気が接触するものである。即ち、衣類４４は効果的に乾燥されるものである。
【００２４】
衣類４４の量が少量である場合には、使用者は図４に示している衣類４４を吹き出し口２３に対面した位置、つまり真下に吊り下げる。使用者がコントローラを使用して少量の衣類の乾燥を指示すると、制御手段４２は循環運転と除湿運転と少量の場合に適応した風向制御手段の制御を実行する。すなわち、この場合には、風向制御板３７ａのスイング動作は実行しないで、検知手段４１が検知している垂直状態で停止させているものである。つまり、図３に示している位置ｃで停止させているものである。このため、吹き出し口２３から吹き出される乾燥空気は、吹き出し口２３の真下の方向となる。従って、少量の衣類４４には常時乾燥空気が接触するものである。このため、浴室１４内の衣類４４は効率的に乾燥されるものである。
【００２５】
また、使用者がコントローラによって浴室１４の乾燥を指示すると、制御手段４２は風向制御板３７ａをスイングさせながら、循環運転と除湿運転を実行する。つまり、すなわち、モータ１８と、循環加熱手段２１と、駆動モータ２８ａと、駆動モータ２９ａと、モータ３８と、必要に応じて再生加熱手段２７とを駆動するものである。こうして、前記同様に、浴室１４内を効率的に乾燥するものである。
【００２６】
また本実施例では使用者は必要に応じて弱乾燥を指示することもできる。この場合は制御手段４２は、換気運転を実行するものである。すなわち、駆動モータ２８ａを駆動して換気除湿切り換えダンパ２８を図２に示しているようにｂ側とするものである。従って、第２の送風ファン１７は、第１の吸気口２２から吸気した浴室１４内の空気を、換気経路３３から排気口３１・排気ダクト６０から屋外に排気するものである。この換気運転によって、図４に示しているように、洗面所側の空気、すなわち低湿の空気が浴室１４内に侵入して、浴室１４の空気と入れ替わるものである。この弱乾燥によっても、例えば乾燥季節時には、浴室内にカビが発生することを十分防止できるものである。
【００２７】
以上のように本実施例によれば、循環経路２４または除湿経路３２を通過した後の乾燥空気を浴室１４内に吹き出す吹き出し口２３に、吹き出し空気の風向を調整する風向制御手段３７を装備し、衣類の量に応じて風向制御板３７ａをスイングさせるまたは直下の風向に固定するようにして、衣類を或いは浴室を効率よく仮想する浴室乾燥機を実現しているものである。
【００２８】
（実施例２）
続いて本発明の第２の実施例について説明する。図６は、本実施例の浴室乾燥機に使用している風向制御手段３７の動作を示す説明図である。本実施例では角度制御手段４５を使用している。角度制御手段４５は、風向制御板３７ａが直下状態であることを検知する検知手段４１の検知情報と、制御手段４２からの指示に基づいて動作する。つまり、検知手段４１の検知位置を基準にして、モータ３８を正逆転する１サイクルの運転時間を調整しているものである。すなわち、風向制御板３７ａのスイング角度を自由に制御しているものである。
【００２９】
以下本実施例の動作について説明する。本実施例では、風向制御板３７ａのスイング角度を自由に設定できる角度制御手段４５を使用している。このため、第１の実施例で説明したように少量の衣類４４を乾燥する場合にも、風向制御板３７ａを狭い角度でスイングすることが可能となっているものである。つまり、本実施例では衣類の量の分類を多少だけではなく、より細かく分類できるものである。
【００３０】
このため本実施例によれば、吹き出し口２３から吹き出す乾燥空気のスイング角度を角度制御手段４５によってきめ細かく設定でき、従って乾燥する衣類の量に適した乾燥空気を送風でき、乾燥効率の高い浴室乾燥機を実現するものである。
【００３１】
（実施例３）
続いて本発明の第３の実施例について説明する。図７は本実施例の構成を示す側断面図である。本実施例では、循環空気・除湿空気を浴室１４に吹き出す第１の吹き出し口２３ａと、風路５１と、第２の吹き出し口５２とを備えている。第２の吹き出し口５２は、壁面から下を覆っているグリル５０の端部に設けた風路５１に備えているものである。第１の吹き出し口２３ａには、開閉ダンパ５３と風向制御手段を設けている。開閉ダンパ５３は、第１の吹き出し口２３ａの上流側に設けており、図８（ａ）・図８（ｂ）に示しているように、循環空気・除湿空気を第１の吹き出し口２３ａまたは第２の吹き出し口５２から吹き出すように切り換えるものである。前記風向制御手段は、図９に示す構成となっている。すなわち、駆動源であるモータ３８と、モータ３８の回転運動を往復直線運動に変換するリンク機構と、検知手段４１と、着脱機構５５によって構成しているものである。前記リンク機構は、モータ３８に取り付けている第１の支持部材３９と、第１の支持部材３９に軸支している第２の支持部材４０と、第２の支持部材４０に軸支している第３の支持部材５４とによって構成している。第３の支持部材５４には風向制御板３７ａを軸支しているものである。
【００３２】
以上の構成で、風向制御手段を構成する風向制御板３７ａは、モータ３８の回転によってスイング運動を行うものである。つまり、モータ３８の回転運動をリンク機構によって往復直線運動に変換し、リンク機構を構成する第２の支持部材４０の往復直線運動によって、第３の支持部材５４がスイング運動し、第３の支持部材５４に軸支している風向制御板３７ａがスイング運動を行うものである。実際には、モータ３８が図９に示している点Ａと点Ｂとの間を往復回転すると、風向制御板３７ａは点ａと点ｂの間をスイング運動するものである。このとき、モータ３８の動作の中間点である点Ｃでは、風向制御板３７ａの位置は点ｃとなり、直下方向となるものである。
【００３３】
前記着脱機構５５は、第２の支持部材４０に軸支している鈎形部材によって構成している。鈎型部材が構成する鈎部は、風向制御板３７ａがスイング運動するときに開閉ダンパ５３の一部に設けたツメ５３ａに係合するものである。尚、着脱機構５５は図示していないバネ等によってツメ５３ａ側に、つまり反時計方向側に付勢されている。
【００３４】
以上の構成で、モータ３８を図１０に示す点Ｄまで回転させると、風向制御板３７ａは第１の吹き出し口２３ａを閉塞する。更に、図１１に示しているようにモータ３８を反時計方向に回転させると、リンク機構を構成する第１の支持部材３９は、着脱機構５５を時計回りに回動させる。このため着脱機構５５は、ツメ５３ａから脱離する。従って、開閉ダンパ５３は、循環空気・除湿空気の空気圧力によって開くものである。このため、乾燥空気は風路５１を流れて第２の吹き出し口５２より吹き出す。第２の吹き出し口５２から吹き出した乾燥空気は、取付面に対して平行に流れるものである。着脱機構５５とツメ５３ａとを元の状態に係合するためには、第１の送風ファン１６、第２の送風ファン１７の回転を停止した後、前記モータ３８を時計回り方向に回転させる。
【００３５】
なお図７に示している５６は、風向制御板３７の角度を記憶する位置記憶手段である。位置記憶手段５６は、使用者が決定した風向制御板３７の角度を記憶するものである。
【００３６】
以下本実施例の動作について説明する。使用者がコントローラを使用して衣類の乾燥を指示すると、制御手段４２は風向制御板３７のスイング運転と、循環運転と除湿運転とを実行する。すなわち、モータ１８と、循環加熱手段２１と、駆動モータ２８ａと、駆動モータ２９ａと、モータ３８と、必要に応じて再生加熱手段２７とを駆動する。このため、図８（ａ）に示しているように、第１の吹き出し口２３ａから乾燥空気がスイングされながら吹き出すものである。この乾燥空気は、浴室内の衣類と接触して、衣類の乾燥が進行する。衣類から蒸発した水分は、吸着剤２６による除湿によって浴室１４の外に排出される。このとき、前記実施例２で説明したように、風向制御板３７のスイング運転の角度は、衣類の量に応じたものとでき、また少量の衣類を乾燥する場合は、風向制御板３７を垂直方向とすることによって、効率の良い衣類乾燥ができるものである。
【００３７】
また使用者が浴室１４内の乾燥を指示するときには、本実施例では特に乾燥したい場所を指定できるものである。例えば、天井壁面が乾燥したいときには、使用者がコントローラを使用して、天井の壁面を指定できるものである。この指示によって、本実施例の浴室乾燥機は、図８（ｂ）に示しているように第２の吹き出し口５２から乾燥空気を送風するものである。送風された乾燥空気は天井の壁面に平行に流れるものであり、従って天井の壁面に付着した水分は効率よく乾燥できるものである。また使用者がコントローラを使用して、浴室１４の床面を指示したときには、本実施例の制御手段４２は風向制御板３７を垂直方向に制御するものである。従って乾燥空気は床面に向けて送風されることになり、床面に付着した水分は効率よく乾燥されるものである。
【００３８】
また本実施例では、乾燥空気の吹き出し口を第１の吹き出し口２３ａまたは第２の吹き出し口５２に自由に切り替えることが可能となっている。つまり、必要に応じて開閉ダンパ５３を使用することによって、前記切替が簡単に確実に出来るものである。第２の吹き出し口５２を設けている風路５１は、グリル５０の周囲を利用して構成しているため、風路面積を大きく採ることが出来る。従って圧力損失の少ない風路構成が可能であり、小型のファンを使用しても大風量が得られる。
【００３９】
また本実施例では、浴室１４を乾燥するときに自由に乾燥空気の風向を調整できるものである。従って、浴室１４のコーナ部等の乾燥しにくい場所を狙って乾燥空気を送風することが出来る。また、位置記憶手段５６が、使用者が設定した風向制御板３７の角度を記憶しているため、使用者が使用の都度風向制御板３７の角度を設定する必要はないものである。つまり本実施例によれば使い勝手の良い浴室乾燥機を実現できるものである。
【００４０】
【発明の効果】
請求項１に記載した発明は、浴室内の空気を吸気送風する送風ファンと、前記送風ファンが送風する空気が流れる循環加熱手段を有する循環経路と、前記送風ファンが送風する空気が流れる除湿手段を有する除湿経路と、除湿経路の一部に接続して設けた浴室内の空気を屋外に排気する換気経路と、前記循環経路及び前記除湿経路を通過した後の空気を浴室内に吹き出す第１の吹き出し口と、前記第１の吹き出し口から吹き出す空気の方向を調整する風向制御板と、前記循環経路または除湿経路を通過した後の空気を浴室内に吹き出す第２の吹き出し口を有するグリルと、循環空気・除湿空気を前記第１の吹き出し口または前記第２の吹き出し口から吹き出すように切り換える開閉ダンパとを備え、前記第２の吹き出し口は、天井壁面乾燥時に天井の壁面に平行に乾燥空気が流れるように送風するようにしたから、乾燥する衣類の量、乾燥する浴室の形状に応じた運転が可能で、乾燥効率が高く省エネルギで短時間に浴室、あるいは浴室内の衣類を乾燥することができるとともに、天井の壁面に付着した水分を効率よく乾燥することができる。
【００４１】
請求項２に記載した発明は、風向制御板は、スイング動作して乾燥空気を第１の吹き出し口より吹き出す運転モードと、スイング動作を停止して乾燥空気を前記第１の吹き出し口より真下の方向に吹き出す運転モードと、前記第１の吹き出し口を閉塞して第２の吹き出し口より空気を吹き出す動作のいずれかに選択可能設けたから、衣類の量に適した風向を選択でき、高効率で短時間に浴室をあるいは浴室内の衣類を乾燥することができる。また、乾燥空気を第１の吹き出し口より真下の方向に吹き出すことにより、床面の水分を効率よく乾燥することができる。
【００４２】
請求項３に記載した発明は、グリルは、第１の吹き出し口の上流側に設けた開閉ダンパを有するから、浴室の壁面を効率よく乾燥でき、浴室の乾燥場所に応じた運転モードを備えることができる。
【図面の簡単な説明】
【図１】  本発明の第１の実施例である浴室乾燥機の構成を示す断面図
【図２】  同、浴室乾燥機を下方から見た平面断面図
【図３】  同、浴室乾燥機の風向制御手段の構成を説明する側面図
【図４】  同、浴室乾燥機を浴室に配置している状態を示す説明図
【図５】  同、浴室乾燥機の外観を示す斜視図
【図６】  本発明の第２の実施例である浴室乾燥機に使用している風向制御板の構成を示す側面図
【図７】  本発明の第３の実施例である浴室乾燥機の構成を示す断面図
【図８】  （ａ）同、開閉ダンパが第２の吹き出し口を閉じている状態を説明する断面図
（ｂ）同、開閉ダンパが第２の吹き出し口を開いている状態を説明する断面図
【図９】  同、風向制御手段の構成を示す側面図
【図１０】  同、風向制御手段の動作を説明する側面図
【図１１】  同、風向制御手段の動作を説明する側面図
【図１２】  従来の浴室乾燥機の構成を示す平面図
【図１３】  同、浴室乾燥機の構成を示す断面図
【符号の説明】
１６  第１の送風ファン
１７  第２の送風ファン
２１  循環加熱手段
２３  吹き出し口
２３ａ  第１の吹き出し口
２４  循環経路
２６  吸着剤
３２  除湿経路
３３  換気経路
３７  風向制御手段
３７ａ  風向制御板
３８  モータ
３９  第１の支持部材
４０  第２の支持部材
４０ａ  第３の支持部材
４１  検知手段
４５  角度制御手段
５０  グリル
５２  第２の吹き出し口
５３  開閉ダンパ
５５  着脱機構
５６  位置記憶手段
６０  排気ダクト
【図１】
0003968843.tif 000002
【図２】
0003968843.tif 000003
【図３】
0003968843.tif 000004
【図４】
0003968843.tif 000005
【図５】
0003968843.tif 000006
【図６】
0003968843.tif 000007
【図７】
0003968843.tif 000008
【図８】
0003968843.tif 000009
【図９】
0003968843.tif 000010
【図１０】
0003968843.tif 000011
【図１１】
0003968843.tif 000012
【図１２】
0003968843.tif 000013
【図１３】
0003968843.tif 000014